(57)【要約】【課題】休止している時期の防塵ができ、かつ製造工程における制約が低い情報記録再生装置を提供する。【解決手段】情報記録再生装置は、孔を有する筐体１０と、筐１０体の中に設けられた光ピックアップ２８４と、シャーシ２８などと、カム３２などと、プレート１２と、第１ガイド１４などとを含む。シャーシ２８などは、筐体１０の中に設けられ、光ディスクをクランプし、光ディスクを解放する際、光ディスクから離れる。カム３２などは、シャーシ２８などが光ディスクから離れる際、シャーシ２８などを駆動する。プレート１２は、シャーシ２８などに接続され、シャーシ２８などの動きに連動する。第１ガイド１４などは、シャーシ２８などが光ディスクから離れると、プレート１２が筐体１０の孔を塞ぐように、プレート１２が移動する方向を規制する。【選択図】図３
2007149192.tif 000002
【特許請求の範囲】
【請求項１】
孔を有する筐体と、
前記筐体の中に設けられた光ピックアップと、
前記筐体の中に設けられ、光ディスクをクランプし、前記光ディスクを解放する際、前記光ディスクから離れるクランプ装置と、
前記クランプ装置が光ディスクから離れる際、前記クランプ装置を駆動する機構と、
前記クランプ装置に接続され、前記クランプ装置の動きに連動する部材と、
前記クランプ装置が光ディスクから離れると、前記部材が前記筐体の孔を塞ぐように、前記部材が移動する方向を規制するガイドとを含み、
前記部材は、
前記筐体の孔を塞ぐための蓋部分と、
前記クランプ装置と前記蓋部分とに接続されることにより、前記蓋部分に前記クランプ装置の動きを伝達する、断面の幅が厚さよりも大きい部分とを含む、情報記録再生装置。
【請求項２】
孔を有する筐体と、
前記筐体の中に設けられた光ピックアップと、
前記筐体の中に設けられ、光ディスクをクランプし、前記光ディスクを解放する際、前記光ディスクから離れるクランプ装置と、
前記クランプ装置が光ディスクから離れる際、前記クランプ装置を駆動する機構と、
前記クランプ装置に接続され、前記クランプ装置の動きに連動する部材と、
前記クランプ装置が前記光ディスクから離れると、前記部材が前記筐体の孔を塞ぐように、前記部材が移動する方向を規制するガイドとを含む、情報記録再生装置。
【請求項３】
前記部材は、
前記筐体の孔を塞ぐための蓋部分と、
前記クランプ装置と前記蓋部分とに接続されることにより、前記蓋部分に前記クランプ装置の動きを伝達する部分とを含む、請求項２に記載の情報記録再生装置。
【請求項４】
前記クランプ装置の動きを伝達する部分は、断面の幅が厚さよりも大きい部分を含む、請求項３に記載の情報記録再生装置。
【請求項５】
前記クランプ装置の動きを伝達する部分は、樹脂製の部分を含む、請求項３に記載の情報記録再生装置。
【発明の詳細な説明】
【技術分野】
【０００１】
本発明は、情報記録再生装置に関し、特に、ダストの影響を低減できる情報記録再生装置に関する。
【背景技術】
【０００２】
特許文献１は、交換可能な情報の記録担体である光ディスクを回転させる回転用モータと、光ディスク挿入時に、ディスクカートリッジを介して光ディスクを保持するカートリッジホルダと、光ディスクに情報の記録再生を行うためのレーザを発振させるレーザダイオードを有する固定光学系と、レーザダイオードから出射されたレーザ光を光ディスク上の所定箇所に集光する光ヘッド可動部と、光ディスクに情報の記録消去を行う際に磁界を発生させる励磁コイルと、回転用モータ、固定光学系、光学ヘッド可動部が搭載されるベースと、冷却ファンとを備える光磁気ディスク装置を開示する。特許文献１にかかる光磁気ディスク装置は、固定光学系および光ヘッド可動部をベースの一方側に配置し、光ディスクが装着された記録再生可能なロード状態に際しては、ベース、ディスクカートリッジ、カートリッジホルダ、および励磁コイルを取付ける励磁コイル取付板により、固定光学系、光ヘッド可動部、および光ディスクが配置される区画を、冷却ファンにより装置内部に引き込まれる空気流と隔離するとともに、光ディスクが装着された場合に冷却ファンが作動する。
【０００３】
特許文献１に開示された発明によると、光ディスクを装置に挿入し、ファンによる冷却が必要となる記録再生可能なロード状態になったときに、塵埃の付着が問題となる固定光学系や光学ヘッド可動部、および、光ディスク部分への塵埃の侵入を防ぐことができる。
【０００４】
特許文献２は、データ記憶媒体であるディスクを回転自在に支持するスピンドルの周囲に配置されてディスクの光照射面を臨み、かつディスクに対してデータの読み書きを行うピックアップの移動路に沿ったスリットを有する、複数の開口部が形成された筐体と、ピックアップの移動に連動して複数の開口部を開閉するシャッター機構とを含む光ディスク装置を開示する。
【０００５】
特許文献２に開示された発明によると、冷却用ファンを設けることなく、筐体内部を外気で冷却できる。
【０００６】
特許文献３は、ディスク状の情報記録媒体を収納したディスクカートリッジを装置内に挿入して、ディスクカートリッジを回転駆動モータにチャッキングし、ディスク媒体の回転とヘッドの移動により、情報の読み、書き、および消去を行う情報記録再生装置の防塵冷却機構を開示する。防塵冷却機構は、装置内に外部から空気を取り入れるファン機構と、ファン機構に連結して空気を装置内に送り込むチューブとを有し、チューブを少なくともヘッドの移動経路を包囲するように配設し、かつ配設されたチューブの側壁に空気を噴出する孔を設けた機構である。
【０００７】
特許文献３に開示された発明によると、装置の大型化の問題を解決しつつ、光学ヘッドの冷却効率を向上させ、かつ確実な防塵効果を得ることができる。
【特許文献１】特開平６−３０２０３９号公報
【特許文献２】特開２００４−３４２１６０号公報
【特許文献３】特開平５−２０８６２号公報
【発明の開示】
【発明が解決しようとする課題】
【０００８】
しかし、特許文献１に開示された発明では、後工程で防塵のための部品を取付けることが困難なので、製造工程における制約が高いという問題点がある。
【０００９】
特許文献２および特許文献３に開示された発明では、予想外の塵埃が侵入しやすくなるという問題点がある。光学ヘッドなどに塵埃が侵入する時期は、光ディスク装置あるいは情報記録再生装置の稼動時に限られない。むしろ、時期が長いので、光ディスク装置あるいは情報記録再生装置が稼動していない時期の防塵こそが重要である。特許文献２および特許文献３に開示された発明は、休止している時期の防塵を解決の対象外としている。
【００１０】
本発明は上述の問題点を解決するためになされたものであって、その目的は、休止している時期の防塵ができ、かつ製造工程における制約が低い情報記録再生装置を提供することにある。
【課題を解決するための手段】
【００１１】
上記目的を達成するために、本発明のある局面に従うと、情報記録再生装置は、孔を有する筐体と、筐体の中に設けられた光ピックアップと、クランプ装置と、機構と、部材と、ガイドとを含む。クランプ装置は、筐体の中に設けられ、光ディスクをクランプし、光ディスクを解放する際、光ディスクから離れる。機構は、クランプ装置が光ディスクから離れる際、クランプ装置を駆動する。部材は、クランプ装置に接続され、クランプ装置の動きに連動する。ガイドは、クランプ装置が光ディスクから離れると、部材が筐体の孔を塞ぐように、部材が移動する方向を規制する。部材は、筐体の孔を塞ぐための蓋部分と、クランプ装置と蓋部分とに接続されることにより、蓋部分にクランプ装置の動きを伝達する、断面の幅が厚さよりも大きい部分とを含む。
【００１２】
本発明の他の局面に従うと、情報記録再生装置は、孔を有する筐体と、筐体の中に設けられた光ピックアップと、クランプ装置と、機構と、部材と、ガイドとを含む。クランプ装置は、筐体の中に設けられ、光ディスクをクランプし、光ディスクを解放する際、光ディスクから離れる。機構は、クランプ装置が光ディスクから離れる際、クランプ装置を駆動する。部材は、クランプ装置に接続され、クランプ装置の動きに連動する。ガイドは、クランプ装置が光ディスクから離れると、部材が筐体の孔を塞ぐように、部材が移動する方向を規制する。
【００１３】
また、上述の部材は、筐体の孔を塞ぐための蓋部分と、クランプ装置と蓋部分とに接続されることにより、蓋部分にクランプ装置の動きを伝達する部分とを含むことが望ましい。
【００１４】
もしくは、上述のクランプ装置の動きを伝達する部分は、断面の幅が厚さよりも大きい部分を含むことが望ましい。
【００１５】
もしくは、上述のクランプ装置の動きを伝達する部分は、樹脂製の部分を含むことが望ましい。
【発明の効果】
【００１６】
本発明に係る情報記録再生装置は、休止している時期の防塵ができ、かつ製造工程における制約を低くできる。
【発明を実施するための最良の形態】
【００１７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１８】
図１は、本実施の形態に係る情報記録再生装置の外観を表わす図である。図１から明らかなように、本実施の形態に係る情報記録再生装置の筐体１０は、側面に孔を有する。
【００１９】
図２は、本実施の形態に係る情報記録再生装置の断面図である。図３は、本実施の形態に係る情報記録再生装置の、図２とは切断の方向が直交する断面図である。図４は、本実施の形態に係る情報記録再生装置における、クランプ装置（クランプ装置については後述する）を駆動する機構の平面図である。図２〜図４を参照して、本実施の形態に係る情報記録再生装置は、筐体１０の中に設けられた、プレート１２と、第１ガイド１４と、第２ガイド１６と、第３ガイド１８と、第４ガイド２０と、第５ガイド２２と、第６ガイド２４と、第７ガイド２６と、シャーシ２８と、カム３２と、モータ３６と、ギヤ列３８とを含む。
【００２０】
第１ガイド１４と、第２ガイド１６と、第３ガイド１８と、第４ガイド２０と、第５ガイド２２と、第６ガイド２４と、第７ガイド２６とは、筐体１０に最初に取付けられる。それらが取付けられた後、それらにプレート１２が嵌込まれる。プレート１２が嵌込まれると、プレート１２とシャーシ２８とが接続される。プレート１２とシャーシ２８とが接続されると、シャーシ２８が筐体１０に固定される。
【００２１】
プレート１２は、シャーシ２８ひいてはクランプ装置に接続され、クランプ装置の動きに連動する部材である。本実施の形態に係るプレート１２は、筐体１０内で筐体１０の孔を防ぐ蓋部材と、蓋部材にクランプ装置の動きを伝達する部分である伝達部材とを含む部材である。本実施の形態の場合、蓋部材と伝達部材とは一体となっている。これにより、伝達部材は、クランプ装置の他、蓋部材に接続されていることとなる。本実施の形態の場合、プレート１２（ひいては伝達部材）は、樹脂製である。プレート１２の材料として選択される樹脂には、アクリル、ポリアセタール、ポリテトラフルオロエチレン、あるいはポリアミドイミドなどが含まれる。いずれの樹脂が選択されるかということは、価格や情報記録再生装置の仕様に応じて決定される。ただし、選択される樹脂は、筐体１０の内部において強度を失わない程度の耐熱性（情報記録再生装置が動作している間、筐体１０の内部の温度は３１３Ｋ程度になる。光ピックアップ２８４の付近の温度は３４３Ｋ程度になる。）が必要である。併せて、本実施の形態の場合、プレート１２（ひいては伝達部材）は、板である。本実施の形態における「板」とは、断面の幅が厚さよりも大きい部材を意味する。板の厚さは、材質と、伝達部材の配置とに基づいて定められる。剛性も強度も低い材質が採用された場合、板は厚くしなくてはならない。剛性も強度も高い材質が採用された場合、板は薄くしてもよい。伝達部材が小さな曲率半径で曲げられるように配置されている場合、板は薄くしなければならない。伝達部材が大きな曲率半径で曲げられるように配置されている場合、板は厚くてもよい。
【００２２】
第１ガイド１４は、プレート１２の位置がずれることを防止するガイドである。第２ガイド１６は、プレート１２が第１ガイド１４から外れることを防止するガイドである。図５を参照して、第１ガイド１４は、断面がＬ字形の樹脂製の部材である。第１ガイド１４は、筐体１０の内部に、プレート１２の両脇に接するように取付けられる。第２ガイド１６は、Ｌ字形の樹脂製の部材である。第２ガイド１６の断面もＬ字形である。第２ガイド１６も筐体１０の内部にプレート１２の両脇に接するように取付けられる。
【００２３】
第３ガイド１８は、プレート１２の座屈を防止するためのガイドである。図６を参照して、第３ガイド１８は、断面が「ロ」字状の部材である。本実施の形態の場合、第３ガイド１８は、樹脂製の部材である。
【００２４】
第４ガイド２０は、プレート１２の水平方向の動きを垂直方向の動きに変換するためのガイドである。図７は、第４ガイド２０の外観図である。本実施の形態の場合、第４ガイド２０は、樹脂製の部材である。第４ガイド２０は、座屈を防止するために断面が「ロ」字状になっている部分と、プレート１２の動きを水平方向から垂直方向に変換するためのスロープ部分とを含む。第４ガイド２０のスロープ部分は、円の一部と同じ弧を描いている。
【００２５】
第５ガイド２２は、プレート１２の垂直方向の動きを水平方向の動きに変換するためのガイドである。第５ガイド２２は、スロープ部分の曲率半径および全体の高さが小さいことを除けば、第４ガイド２０と同じ形状をしている。第５ガイド２２も、樹脂製の部材である。
【００２６】
第６ガイド２４および第７ガイド２６は、プレート１２が「Ｌ」字型に折り曲げられることを防止する（すなわち、折り曲げられる際の曲率半径が小さくなることを防止する）ガイドである。図８は、第６ガイド２４の外観図である。第７ガイド２６は、スロープ部分の曲率半径および全体の高さが小さいことを除けば、第６ガイド２４と同じ形状をしている。第６ガイド２４および第７ガイド２６は、樹脂製の部材である。
【００２７】
シャーシ２８は、マグネットクランプ２８２および光ピックアップ２８４を搭載する部材である。図３を参照して、シャーシ２８は、後述するマグネットクランプ２８２が光ディスク４０を開放すると、光ディスク４０からマグネットクランプ２８２が離れるように動作する部材である。シャーシ２８は、一端に設けられたボス２８６がカム３２に嵌り、かつ他端の両脇に設けられたボス２８８を中心に自由に回転できる。シャーシ２８およびシャーシ２８に取付けられる部品の重量の総和は０．３ｋｇ〜０．５ｋｇ程度になる。プレート１２は、シャーシ２８の底面に取付けられている。プレート１２をシャーシ２８の底面に取付ける理由は、光ディスク４０に情報を記録するなどの際の、光ディスク４０と光ピックアップ２８４との間の垂直方向の許容精度が、水平方向の許容精度に比べ広いためである。
【００２８】
カム３２は、ボス２８６が嵌った状態で回転する。カム３２が回転すると、シャーシ２８のボス２８６がその回転に合わせて上下する。モータ３６は、カム３２に動力を供給する。ギヤ列３８は、モータ３６の回転をカム３２の一端に設けられた歯車に伝達する。これにより、マグネットクランプ２８２が搭載された状態のシャーシ２８は、光ディスク４０をクランプする際光ディスク４０に近づき、光ディスク４０を解放する際光ディスク４０から離れるクランプ装置となる。カム３２、モータ３６、およびギヤ列３８からなる機構は、クランプ装置に接続され、クランプ装置が光ディスク４０から離れる際、クランプ装置を駆動する機構となる。
【００２９】
以上のような構造に基づく、情報記録再生装置の動作について説明する。
図９は、マグネットクランプ２８２が光ディスク４０を解放した場合のプレート１２の動作を表わす図である。ボス２８６が嵌ったカム３２により、シャーシ２８が下に下がると、シャーシ２８に取付けられたプレート１２の一端が下に下がる。プレート１２の一端が下に押し下げられると、第５ガイド２２により、プレート１２の動きは水平方向の動きに変換される。プレート１２の水平方向の動きは、第４ガイド２０により、垂直方向の動きに変換される。第４ガイド２０によりプレート１２の動きが垂直方向の動きに変換されると、プレート１２の蓋部材はシャーシ２８が下がることに連動して押し上げられる。蓋部材が押し上げられるので、筐体１０の横孔は塞がれることとなる。プレート１２の座屈は第３ガイド１８により防止される。これにより、第１ガイド１４、第３ガイド１８、第４ガイド２０、および第５ガイド２２は、クランプ装置が光ディスクから離れると、プレート１２が筐体１０の孔を塞ぐように、プレート１２が移動する方向を規制するガイドとなる。
【００３０】
図１０は、シャーシ２８の機構が光ディスク４０をクランプした場合のプレート１２の動作を表わす図である。ボス２８６が嵌ったカム３２により、シャーシ２８が上に押し上げられると、プレート１２は引き上げられる。プレート１２が引き上げられると、第７ガイド２６により、プレート１２の動きは水平方向の動きに変換される。合わせて、プレート１２の動きは第６ガイド２４により垂直方向の動きに変換される。これにより、シャーシ２８が押し上げられると、プレート１２の蓋部材は引き下げられるので、筐体１０の横孔は開放されることとなる。これにより、第１ガイド１４、第６ガイド２４、および第７ガイド２６は、クランプ装置が光ディスクに近づくと、プレート１２が筐体１０の孔を開くように、プレート１２が移動する方向を規制するガイドとなる。
【００３１】
以上のようにして、本実施の形態に係る情報記録再生装置は、チャッキング用のモータと連動するクランプ装置を有するので、光ディスクをクランプすると筐体の横孔が開く。本実施の形態に係る情報記録再生装置は、チャッキング用のモータと連動するクランプ装置を有するので、光ディスクを開放すると筐体の横孔が塞がれる。光ディスクをクランプすると筐体の横孔が開くので、光ピックアップなどが発した熱を効率よく放熱できる。光ディスクを開放すると筐体の横孔が塞がれるので、休止期間の塵埃の侵入が防止される。塵埃の侵入が防止されると、光ピックアップなどへの塵埃の吸着が減少する。光ピックアップなどへの塵埃の吸着が減少するので、光ピックアップなどの塵埃に弱い部品を保護できる。また、防塵のための部品と光ディスクからの情報の読出や情報の記録のための部品とが互いに別の部品なので、後工程で防塵のための部材を取付けることが容易である。その結果、休止している時期の防塵ができ、かつ製造工程における制約を低くできる情報記録再生装置を提供することができる。
【００３２】
また、本実施の形態に係る情報記録再生装置は、プレートに樹脂製の伝達部材を含み、樹脂製のガイドを含む。これにより、乾燥した環境の下で使用し、かつ特段の表面処理を行わない場合には、ある種の金属を用いる場合に比べ、摩擦係数が低くなることがある。摩擦係数が低くなると、筐体の横孔を塞ぐための機構に起因する仕様上の制約が少なくなる。仕様上の制約が少なくなるので、製造工程における制約も低くなる。
【００３３】
また、本実施の形態の場合情報記録再生装置において、プレート１２の伝達部材は、板である。これにより、棒状の部材を用いる場合に比べ、製造工程における制約が低くなる。製造工程における制約が低くなるのは、少ないガイドにて移動の方向を制限できるためである。少ないガイドにて移動の方向を制限できるのは、ある方向に対しては剛性が高く、他の方向に対しては剛性が低い部材を得ることができるためである。
【００３４】
なお、変形例として、カム３２は複数あってもよい。この場合、シャーシ２８のボス２８６は複数必要となる。カム３２が複数あると、プレート１２を押し下げる力が大きくなるので、プレート１２は容易に筐体１０の横孔を塞ぐことができる。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３６】
【図１】本発明の実施の形態に係る情報記録再生装置の外観図である。
【図２】本発明の実施の形態に係る情報記録再生装置の第１の断面図である。
【図３】本発明の実施の形態に係る情報記録再生装置の第２の断面図である。
【図４】本発明の実施の形態に係る情報記録再生装置における、クランプ装置を駆動する機構の平面図である。
【図５】本発明の実施の形態に係る第１ガイドおよび第２ガイドの外観図である。
【図６】本発明の実施の形態に係る第３ガイドの外観図である。
【図７】本発明の実施の形態に係る第４ガイドの外観図である。
【図８】本発明の実施の形態に係る第６ガイドの外観図である。
【図９】本発明の実施の形態に係る情報記録再生装置が筐体の横孔を塞ぐ際の動作を表わす概念図である。
【図１０】本発明の実施の形態に係る筐体の横孔を開放する際の動作を表わす概念図である。
【符号の説明】
【００３７】
１０  筐体、１２  プレート、１４  第１ガイド、１６  第２ガイド、１８  第３ガイド、２０  第４ガイド、２２  第５ガイド、２４  第６ガイド、２６  第７ガイド、２８  シャーシ、３２  カム、３６  モータ、３８  ギヤ列、４０  光ディスク、２８２  マグネットクランプ、２８４  光ピックアップ、２８６，２８８  ボス。
【図１】
2007149192.tif 000003
【図２】
2007149192.tif 000004
【図３】
2007149192.tif 000005
【図４】
2007149192.tif 000006
【図５】
2007149192.tif 000007
【図６】
2007149192.tif 000008
【図７】
2007149192.tif 000009
【図８】
2007149192.tif 000010
【図９】
2007149192.tif 000011
【図１０】
2007149192.tif 000012